(57)【要約】【課題】本発明は、照明モジュールを備えた電子装置を提供することを目的とする。【解決手段】本発明に係る電子装置は、本体と照明モジュールとを備える。照明モジュールは、収容部と、回転部と、照明部品と、を備え、収容部の主壁には開口が設けられ、該開口の両側端には２つの固定板が設置され、各固定板の一端にはスライディングスロットが設けられ、各固定板の他端には第一固定孔と第二固定孔とが設けられ、前記回転部は、メイン部と、メイン部の両側端にある側板と、を備え、各側板の外側には突起部と挿入ピンとが突出し、挿入ピンはスライディングスロットに其々挿入され、照明部品はメイン部と側板との間に収容され、回転部を回転させ、突起部を第一固定孔に其々係合させると、照明部品は露出され、且つ点灯し、回転部を逆回転させ、突起部を第二固定孔に其々係合させると、照明部品は収容部内に収容され、且つ消灯する。【選択図】図１
2014053302.tif 000002
【特許請求の範囲】
【請求項１】
本体と、本体に装着される照明モジュールと、を備えてなる電子装置であって、
前記照明モジュールは、前記本体に固定される収容部と、前記収容部に回転可能に装着される回転部と、前記回転部に装着される照明部品と、を備え、
前記収容部は主壁を備え、前記主壁には開口が設けられ、前記主壁の内側において、開口の両側端には２つの固定板が設置され、各前記固定板の一端にはスライディングスロットが設けられ、各前記固定板の他端には第一固定孔と第二固定孔とが設けられ、
前記回転部は、メイン部と、前記メイン部の両側端から延在する側板と、を備え、各前記側板の外側の一端には突起部が突出し、各前記側板の他端には挿入ピンが突出し、前記挿入ピンは、前記収容部の前記スライディングスロットに其々挿入され、
前記照明部品は前記回転部の前記メイン部と前記側板との間に収容され、
前記本体と離れる方向に向けて前記回転部を回転させ、前記突起部を前記第一固定孔に其々係合させると、照明部品は前記収容部内から露出され、且つ点灯し、
前記本体に向けて前記回転部を回転させ、前記突起部を前記第二固定孔に其々係合させると、照明部品は収容部内に収容され、且つ消灯することを特徴とする電子装置。
【請求項２】
前記照明部品は、回路基板と、前記回路基板の一面に設置されている発光部と、制御部と、を備え、前記制御部は前記発光部のオンオフを制御し、前記回路基板の両側端は、前記回転部の前記両側板に其々固定され、前記制御部はスイッチを備え、前記本体は前板を備え、前記回転部を前記収容部内に収容させると、前記スイッチは前記前板に当接され、且つ前記発光部は消灯し、前記回転部を前記前板と離れるように回転させると、前記スイッチは、前記前板と離れ、前記発光部は点灯されることを特徴とする請求項１に記載の電子装置。
【請求項３】
前記発光部は、発光ダイオードであることを特徴とする請求項２に記載の電子装置。
【請求項４】
前記回路基板の両側端にはフック部が其々設けられ、各前記側板の中央部には、取付穴及び取付穴の上方に位置する斜面が設けられ、前記フック部は、前記斜面に沿って其々スライドした後、前記取付穴に其々係合されることを特徴とする請求項２または３に記載の電子装置。
【請求項５】
各前記フック部の上方には通溝が設けられており、前記フック部は弾性変形することができることを特徴とする請求項４に記載の電子装置。
【請求項６】
前記照明モジュールは、更にガイド部品を備え、前記照明部品は前記回転部に装着され、且つ前記ガイド部品に当接されることを特徴とする請求項１から５の何れか一項に記載の電子装置。
【請求項７】
前記回転部の前記側板には貫通孔が其々設けられ、前記ガイド部品は、ガイド部と、前記ガイド部を挟む挟み部と、を備え、前記挿入ピンは、前記挟み部から其々延伸し、且つ前記貫通孔に挿入された後、前記側板の外側に露出されることを特徴とする請求項６に記載の電子装置。
【請求項８】
各前記側板の内側には、前記メイン部と垂直な当止片が突設されており、前記照明部品は、前記当止片と前記ガイド部品との間に挟まれることを特徴とする請求項６または７に記載の電子装置。
【請求項９】
前記主壁の外側には、前記開口と連通する切欠部が設けられ、前記回転部の前記メイン部には、前記切欠部と連通する欠口部が設けられていることを特徴とする請求項１から８の何れか一項に記載の電子装置。
【請求項１０】
前記メイン部の前記欠口部と離れる側端からは、前記主壁の内側の前記開口に近い箇所に当接される当止部が延出されていることを特徴とする請求項９に記載の電子装置。
【発明の詳細な説明】
【技術分野】
【０００１】
本発明は、電子装置に関するものである。
【背景技術】
【０００２】
暗い環境下で、電子装置、例えばノートパソコンを使用する場合、ディスプレイ部の光ではキーボードを十分に照明できないため、キーボードを操作するのに不便である。
【発明の概要】
【発明が解決しようとする課題】
【０００３】
本発明の目的は前記問題を解決し、照明モジュールを備えた電子装置を提供することである。
【課題を解決するための手段】
【０００４】
上記目的を達成するために、本発明に係る電子装置は、本体と、照明モジュールと、を備える。前記照明モジュールは、収容部と、回転部と、照明部品と、を備え、収容部の主壁には開口が設けられ、該開口の両側端には２つの固定板が設置され、各固定板の一端にはスライディングスロットが設けられ、各固定板の他端には第一固定孔と第二固定孔とが設けられ、前記回転部は、メイン部と、メイン部の両側端にある側板と、を備え、各側板の外側には突起部と挿入ピンとが突出し、挿入ピンはスライディングスロットに其々挿入され、照明部品はメイン部と側板との間に収容され、回転部を回転させ、突起部を第一固定孔に其々係合させると、照明部品は露出され、且つ点灯し、回転部を逆回転させ、突起部を第二固定孔に其々係合させると、照明部品は収容部内に収容され、且つ消灯する。
【発明の効果】
【０００５】
本発明に係る電子装置は、本体に照明モジュールが装着されているので、暗い環境下でも容易にキーボードを操作することができる。
【図面の簡単な説明】
【０００６】
【図１】本発明の実施形態に係る電子装置の斜視図である。
【図２】図１に示す電子装置の照明モジュールの分解斜視図である。
【図３】図２に示す照明モジュールの別の視角から見た分解斜視図である。
【図４】図２に示す照明モジュールの組立斜視図である。
【図５】図３に示す照明モジュールの組立斜視図を別の視角から見た図である。
【図６】図１に示す電子装置のＶＩ−ＶＩ線に沿った断面図であり、照明モジュールが照明している状態を示す図である。
【図７】図１に示す電子装置のＶＩ−ＶＩ線に沿った断面図であり、照明モジュールが照明していない状態を示す図である。
【発明を実施するための形態】
【０００７】
図１に示したように、本発明の実施形態に係る電子装置は、本体１００と、本体１００に装着される照明モジュール２００と、を備える。照明モジュール２００は、暗い環境下で本体１００を照明することに使用される。本実施形態において、本体１００はノートパソコンである。本体１００は、ベース１０１と、ベース１０１に回転可能に装着されたディスプレイ部１０２と、を備える。照明モジュール２００は、ディスプレイ部１０２の内側（ベース１０１に面する側）の自由端（ベース１０１と離れる側の端）に装着される。他の実施形態において、照明モジュール２００は、ベース１０１を照明できるのならば、本体１００の他の箇所に装着されても良い。
【０００８】
図２及び図３を参照すると、照明モジュール２００は、収容部１０と、回転部２０と、照明部品３０と、ガイド部品４０と、を備える。
【０００９】
収容部１０は、主壁１１と、主壁１１の１つの側端から斜め下方に延在する側壁１３と、を備える。主壁１１の中央部には開口１１１が設けられている。主壁１１の内側において、主壁１１における開口１１１の両側から、平行に２つの固定板１１３が其々延在する。主壁１１の外側には、開口１１１と連通し、且つ該開口１１１の側壁１３から離れる箇所にある切欠部１１２が設けられている。固定板１１３の側壁１３に近い箇所には、弧形を呈するスライディングスロット１１３１が其々設けられている。各固定板１１３の側壁１３と離れる箇所には、楕円形を呈する第一固定孔１１３３と、該第一固定孔１１３３の下方に位置する第二固定孔１１３５と、が設けられている。各固定板１１３の内側の中央部には、主壁１１に垂直な二つの突出部１１３７がそれぞれ設置されている。側壁１３の主壁１１と離れる側の端には、階段状を呈する係合部１３１が形成されている。固定板１１３のスライディングスロット１１３１に隣接する側の端は、係合部１３１に当接する。
【００１０】
回転部２０は、メイン部２１と、メイン部２１の両側端から其々垂直に延伸する２つの側板２２と、を備える。メイン部２１の第一側には、１つの起立部２１１が突出しており、該起立部２１１の中央部には欠口部２１２が設けられている。起立部２１１の内側は階段状を呈している。メイン部２１の第二側（第一側の反対側）からは、起立部２１１から離れる方向に向けて、２つの当止部２１３が延出している。各側板２２の外側におけるメイン部２１の第二側端には、突起部２２１が突設されている。各側板２２の外側におけるメイン部２１の第一側端には、楕円形を呈する貫通孔２２２が其々設けられている。各側板２２の内側の中央部には、メイン部２１と垂直な当止片２２５が其々突設されている。各側板２２には、当止片２２５と貫通孔２２２との間に位置し、且つ当止片２２５に近接する箇所に取付穴２２６が設けられ、該取付穴２２６の上方には、斜面２２７が形成されている。
【００１１】
照明部品３０は、回路基板３１と、該回路基板３１の同じ側面に設置されている発光部３２及び制御部３３と、を備える。回路基板３１の両側端にはフック部３１１が其々設けられ、各フック部３１１の上方には通溝３１２が設けられている。そのため、フック部３１１は弾性変形することができる。発光部３２は、発光ダイオードなどの発光できる電子部品である。制御部３３は、発光部３２のオンオフを制御し、且つスイッチ３３１を備える。スイッチ３３１が押されると発光部３２は消灯し、スイッチ３３１が押されていない時、発光部３２は点灯する。
【００１２】
ガイド部品４０はプラスチックなどのような弾性材料から製造され、光線をガイドできる透明なガイド部４１と、ガイド部４１の両側端に設置され、且つガイド部４１を挟む挟み部４３と、を備える。ガイド部品４０の下部の一部は階段状を呈している。各挟み部４３の外側には、楕円形を呈する挿入ピン４３１が其々突設されており、この挿入ピン４３１は貫通孔２２２を其々貫通する。
【００１３】
図４及び図５に示したように、照明モジュール２００を組み立てる際、ガイド部品４０を弾性変形させて、その下部をメイン部２１の内側に当接させる。この時、ガイド部品４０の階段部は、起立部２１１の内側と係合する。次いで、挿入ピン４３１を貫通孔２２２に挿入して、側板２２の外側から其々露出させる。次いで、照明部品３０を当止片２２５に沿ってメイン部２１に向けて移動させて、フック部３１１は、斜面２２７に沿ってスライドした後、取付穴２２６に其々係合される。この時、照明部品３０は、当止部２１３とガイド部品４０との間に挟まれ、発光部３２はガイド部４１に当接される。他の実施形態において、ガイド部品４０と起立部２１１とに階段部を設けなくても良い。
【００１４】
次いで、回転部２０の側板２２を互いに向けて弾性変形させて、突起部２２１をスライディングスロット１１３１に其々対応させる。回転部２０の両側板２２を弾性復帰させると、各突起部２２１は対応するスライディングスロット１１３１に収容される。故に、各突起部２２１はスライディングスロット１１３１内でスライドすることができる。これによって、回転部２０は、収容部１０に回転可能に装着される。挿入ピン４３１における側板２２の外側に露出した部分は、第二固定孔１１３５に其々挿入される。当止部２１３は、主壁１１の内側の開口１１１に近い箇所に当止される。収容部１０の切欠部１１２は欠口部２１２と連通する。これにより、ユーザの指を切欠部１１２から欠口部２１２に差し込んで回転部２０を回転させることができる。メイン部２１は開口１１１内に収容され、且つ収容部１０の主壁１１の外側に露出する。各突出部１１３７は、固定板１１３から突出し、固定板１１３と側板２２との間に位置する。これにより、側板２２と対応する側壁１３とは、接触範囲が小さく、その間で発生する摩擦力は弱いので、容易に回転部２０を回転することができる。
【００１５】
図６及び図７を参照すると、ディスプレイ部１０２は、後板１０２１と、後板１０２１の内側（後板１０２１のベース１０１に面する側）に装着される前板１０２２と、を備える。後板１０２１の上部の内側には係合口１０２４が設けられている。
【００１６】
照明モジュール２００を、ディスプレイ部１０２に装着する際、収容部１０の係合部１３１を後板１０２１の係合口１０２４に係合させる。この時、前板１０２２の上端は、係合部１３１の内側に当止される。照明部品３０の回路基板３１は、ワイヤ（図示せず）を通じて本体１００に電気接続される。スイッチ３３１を前板１０２２に当接させるように押すと、発光部３２を消灯することができる。
【００１７】
暗い環境下で本体１００を使用する場合、指を収容部１０の切欠部１１２から欠口部２１２に入れて、回転部２０を主壁１１に向けて回転させる。そして、挿入ピン４３１を、第二固定孔１１３５から其々離脱させ、且つ第一固定孔１１３３に其々収容させる。これにより、ガイド部４１は開口１１１から露出し、スイッチ３３１は前板１０２２から離れて発光部３２は点灯する。発光部３２から出射された光線は、ガイド部４１を通じて本体１００のベース１０１を照明する。
【００１８】
図７に示したように、照明モジュールを使用しない場合、メイン部２１を前板１０２２に向けて押すと、回転部２０と照明部品３０とガイド部品４０とは、収容部１０内に収容される。スイッチ３３１が前板１０２２に当接されると、発光部３２は消灯する。この時、挿入ピン４３１は第一固定孔１１３３から其々離脱し、対応する第二固定孔１１３５に収容される。
【００１９】
本実施形態において、挿入ピン４３１は、ガイド部品４０を回転部２０に固定するだけでなく、回転部２０の側板２２の外側にまで其々露出され、第二固定孔１１３５又は第一固定孔１１３３に挿入されることによって、回転部２０を異なる状態に維持する。他の実施形態において、挿入ピン４３１は、回転部２０の側板２２から其々延出し、第二固定孔１１３５又は第一固定孔１１３３に挿入される。この時、挟み部４３には、ガイド部品４０を回転部２０に固定する専用部品が設置され、ガイド部品４０は、粘着剤によって回転部２０に固定することが可能である。
【００２０】
以上、本発明を実施形態に基づいて具体的に説明したが、本発明は、上述の実施例に限定されるものではなく、その要旨を逸脱しない範囲において、種々の変更が可能であることは勿論であって、本発明の技術的範囲は、添付の特許請求の範囲から決まる。
【符号の説明】
【００２１】
１００  本体
１０１  ベース
１０２  ディスプレイ部
１０２１  後板
１０２２  前板
１０２４  係合口
２００  照明モジュール
１０  収容部
１１  主壁
１１１  開口
１１３  固定板
１１２  切欠部
１１３１  スライディングスロット
１１３３  第一固定孔
１１３５  第二固定孔
１１３７  突出部
１３  側壁
１３１  係合部
２０  回転部
２１  メイン部
２１１  起立部
２１２  欠口部
２１３  当止部
２２  側板
２２１  突起部
２２２  貫通孔
２２５  当止片
２２６  取付穴
２２７  斜面
３０  照明部品
３１  回路基板
３１１  フック部
３１２  通溝
３２  発光部
３３  制御部
３３１  スイッチ
４０  ガイド部品
４１  ガイド部
４３  挟み部
４３１  挿入ピン
【図１】
2014053302.tif 000003
【図２】
2014053302.tif 000004
【図３】
2014053302.tif 000005
【図４】
2014053302.tif 000006
【図５】
2014053302.tif 000007
【図６】
2014053302.tif 000008
【図７】
2014053302.tif 000009